(57)【特許請求の範囲】
【請求項１】
中古車両を評価する査定情報を端末装置を使用して入力する中古車両の査定システムであって、
前記端末装置は、
前記中古車両の展開図に含まれる部位が所定の状態を有する場合に前記部位の前記所定の状態の程度を表す査定情報及び前記部位の画像を入力するための査定情報入力画面を画面表示部に表示する画面表示手段と、
前記査定情報入力画面に前記査定情報を入力する入力手段と、
前記画像を撮影する撮像手段と、
前記査定情報及び前記画像を記録する記録手段とを備え、
前記画面表示手段が、前記査定情報入力画面上に、各部位の画像の入力指示を行う画像入力表示を各部位の査定情報の入力毎に表示することを特徴とする中古車両の査定システム。
【請求項２】
さらに、前記画面表示手段が、前記中古車両の入力要求車両画像一覧に基づいて前記中古車両の画像の一覧を入力するための車両画像入力画面を前記画面表示部に表示し、前記画像の一覧の各画像の入力指示を行う画像入力表示を表示することを特徴とする請求項１に記載の中古車両の査定システム。
【請求項３】
前記画像入力表示は、前記撮像手段による新規撮影による画像と、前記撮像手段により撮影されて前記記録手段に記録されている画像との選択が可能となる選択画面を併せて表示することを特徴とする請求項１又は２に記載の中古車両の査定システム。
【請求項４】
前記記録手段に記録された前記中古車両の査定情報、及び前記画像は、通信回線を通じて中古車情報を管理する中古車情報管理サーバに送信され、前記中古車情報管理サーバのデータベースに記録されることを特徴とする請求項１に記載の中古車両の査定システム。
【請求項５】
前記データベースは、クラウド型コンピューティングシステムのデータベースであることを特徴とする請求項４に記載の中古車両の査定システム。
【請求項６】
前記中古車両の前記各部位の査定情報と、前記各部位の画像とは関連付けられて前記データベースに記録されることを特徴とする請求項４又は５に記載の中古車両の査定システム。
【請求項７】
前記端末装置は、携帯型端末装置であることを特徴とする請求項１に記載の中古車両の査定システム。
【発明の詳細な説明】
【技術分野】
【０００１】
本発明は、中古車両の評価を行う査定システムに関し、特に査定情報と中古車両の該当部位の画像の取得を容易かつ確実に行うことができる中古車両の査定システムに関するものである。
【背景技術】
【０００２】
従来、中古車両の買取に際しては、中古車両の販売業者が買取対象となる中古車両の種類、年式、走行距離等の判断材料の他に、当該中古車両の損傷の有無とその程度、改造等の有無とその程度等を査定した判断材料を加えて買取価格を決定していた。
【０００３】
上記査定は、予め中古車両の各部位の項目について作成された査定用のマニュアルに従って、中古車両の各部位の損傷等の有無とその程度を文字、記号等により書面に記入し、又は端末装置等を使用した電子データの入力により記録される。
【０００４】
上記中古車両の査定をより精密かつ正確に行うために、該当部位についてカメラ等を用いて撮影し、入力された文字、記号等による査定情報と撮影された画像情報とを加えて買取価格決定の判断材料とする中古車の電子査定システムが提供されている（例えば、特許文献１参照）。
【先行技術文献】
【特許文献】
【０００５】
【特許文献１】特開２００４−１５２２１２公報
【発明の概要】
【発明が解決しようとする課題】
【０００６】
上記特許文献１に開示される中古車の電子査定システムによれば、カメラ付き携帯電話により中古車両の各部位を撮影した画像に、各部位の査定内容を示す記号とともに記録し、通信手段を介して価格算出部門のサーバに送信することができるので、買取先においても正確かつ客観的な査定を行うことが可能となる。
【０００７】
しかし、上記中古車の電子査定システムでは、中古車の各部位について査定マニュアルにしたがって判断し、査定内容を入力すると共に、該当部位を撮影し画像を保存する作業を行うが、査定対象となる中古車の各部位は多岐に渡り、該当する各部位査定内容の入力と該当する各部位の撮影及び画像保存は煩雑となる。そのため、該当部位と異なる部分を撮影し、あるいは該当部位の撮影を失念してしまう場合が生じる。
【０００８】
本発明は、中古車両の査定において、査定情報の入力と該当する部位の撮像とを容易かつ確実にする技術の提供を目的とするものである。
【課題を解決するための手段】
【０００９】
上記課題を解決するために本発明が提供するのは、中古車両を評価する査定情報を端末装置を使用して入力する中古車両の査定システムであって、前記端末装置は、前記査定情報を入力するための入力画面を画面表示部に表示する画面表示手段と、前記入力画面に前記査定情報を入力する入力手段と、前記中古車両の画像を撮影する撮像手段と、前記査定情報及び前記画像を記録する記録手段とを備え、前記入力画面表示手段が、前記入力画面上に、前記中古車両の前記画像の入力指示を行う画像入力表示を表示することを特徴とする中古車両の査定システムである。
【００１０】
このように、中古車両の査定情報を入力する入力画面上に、中古車両の画像の入力指示を行う画像入力表示が表示されるので、画像入力を確実に行うことができる。
【００１１】
前記画像入力表示は、前記中古車両の各部位の査定情報の入力毎に前記入力画面上に表示されることで、査定情報が入力された各部位の画像が確実に入力される。
【００１２】
また、前記画像入力表示は、前記撮像手段による新規撮影による前記中古車両の画像と、前記撮像手段により撮影されて前記記録手段に記録されている前記中古車両の画像との選択が可能となる選択画面を併せて表示ことが好ましい。
【００１３】
既に記録手段に記録された画像を、各部位の査定情報と共に入力できるときは、新規の画像の撮影とその入力に代えることで、操作を簡略化することができる。
【００１４】
前記記録手段に記録された前記中古車両の査定情報、及び前記中古車両の画像は、通信回線を通じて中古車情報を管理する中古車情報管理サーバに送信され、前記中古車情報管理サーバのデータベースに記録されることで、査定情報と画像とを集中的に管理でき、さらに通信回線を利用して他の端末装置に査定情報と画像とを送信するとで、中古車両の査定情報を広く使用することができる。
【００１５】
前記データベースは、クラウド型コンピューティングシステムのデータベースとすることができる。
【００１６】
前記中古車両の各部位の査定情報と、前記各部位の画像とは関連付けられて前記データベースに記録されることで、利便性が向上する。
【００１７】
前記端末装置は、携帯型端末装置、例えばカメラ付きの多機能型携帯端末を利用することができる。
【発明の効果】
【００１８】
本発明によれば、端末装置の査定情報の入力画面に、画像の入力指示を行う画像入力表示が表示されるので、中古車両の査定情報とその査定対象となる部位の画像の入力を確実に行うことができる。
【図面の簡単な説明】
【００１９】
【図１】図１は本発明に係る中古車両の査定システムの一実施形態の構成図である。
【図２】図２は本発明に係る中古車両の査定システムの一実施形態のフロー図である。
【図３】図３（ａ）は多機能型携帯端末の画面上に表示される査定対象となる中古車両の車種情報検索画面であり、図３（ｂ）は多機能型携帯端末の画面上に表示される車種情報の表示画面である。
【図４】図４は多機能型携帯端末の画面上に表示される、中古車両の評価を行うための対象車両情報を入力するための対象車両情報入力画面である。
【図５】図５（ａ）は多機能型携帯端末の画面上に表示される入力要求される車両画像の一覧を示す表示画面であり、図５（ｂ）は図５（ａ）で入力要求された車両画像を入力した表示画面である。
【図６】図６（ａ）は多機能型携帯端末の画面上に表示される中古車両の展開図であり、図６（ｂ）は査定情報及びこの査定情報に該当する中古車両の部位の画像の入力を要求する査定情報入力欄の画面である。
【発明を実施するための形態】
【００２０】
以下、添付図面を参照して本発明の中古車両の査定システムの実施形態について説明する。
＜基本構成＞
本実施形態の構成図である図１に示すように、中古車両の査定システムは、中古車両の査定情報及び画像が入力される多機能型携帯端末１１と、多機能型携帯端末１１と通信ネットワーク１２を介して情報の送受信を行う中古車情報管理サーバ１５とを備えている。
【００２１】
通信ネットワーク１２は、公衆電話回線、専用電話回線、光通信回線、ＬＡＮ等を用いることができるが、ネットワークへの第三者の侵入阻止という観点からインターネットにより構成されるＶＰＮ（Virtual Private Network）を利用することが好ましい。
＜多機能型携帯端末＞
多機能型携帯端末１１は、図１に示すように、査定情報の入力画面等が表示される画面表示部２１と、査定及び画像の情報を通信ネットワークを介して中古車情報管理サーバ１５と送受信する送受信手段２２と、画面表示部２１に査定情報の入力画面等を表示させる画面表示手段２３と、入力画面に査定情報等を入力する入力手段２５と、入力された査定及び画像の情報等を記録する記録手段２６と、中古車両の画像を撮影する撮像手段２７と、上記各手段の機能を制御する制御手段２８を備えている。
【００２２】
多機能型携帯端末１１としては、例えば、ｉＰａｄ（登録商標）、ｉＰａｄ２（登録商標）等のタブレッド型コンピュータを使用することができるが、これに限定するものではない。撮像、画面表示、情報の入力、送受信等の上記各手段の機能を備えるものであれば携帯電話等を使用してもよい。多機能型携帯端末１１は、中古車の査定を行う社員等が、顧客のいる出張先においても本実施形態の中古車の査定システムにより中古車の査定と画像の入力を確実に行うことを可能とする装置である。
【００２３】
画面表示部２１は、中古車両の査定情報の入力一覧表を示す画面等が表示される装置であり、例えば、液晶ディスプレイ等により構成される。
【００２４】
送受信手段２２は、通信ネットワーク１２を介して中古車情報管理サーバ１５との間で、中古車両の査定及び画像の情報、車両情報等の各種情報の送受信を行うための電子機器、電子回路及びこれらに使用するプログラムである。
【００２５】
画面表示手段２３は、画面表示部２１に、査定対象となる車両の検索情報の入力画面、査定及び画像についての情報を入力する入力画面等を表示させるための電子機器、電子回路及びプログラムである。
【００２６】
入力手段２５は、上記した査定対象となる中古車両の検索情報の入力画面、査定及び画像についての情報を入力する入力画面等に情報を入力する装置、機器であり、画面表示部２１に指でタッチ入力できるタッチパネル、多機能型携帯端末１１に備えられ操作ボタン、画面表示部２１に画像として表示されるソフト上のキーボードとマウス、又は多機能型携帯端末１１に外付けされる操作キー、マウス等の各種入力機器からなる。
【００２７】
記録手段２６は、査定対象となる中古車両の検索情報の入力画面、査定及び画像についての情報を入力する入力画面等の各種画面を表示するプログラム、上記各種画面に入力された査定及び画像の情報、並びに中古車情報管理サーバ１５から送信された車種情報等を記録、格納するＲＡＭ等のメモリ機器からなる。なお、記録手段２６には、多機能型携帯端末１１の上記各手段の機能を発揮するためのプログラムが記録されたＲＯＭ等のメモリ機器も含まれる。
【００２８】
撮像手段２７は、中古車両の画像を撮影する装置であり、例えば、多機能型携帯端末１１に内蔵されるデジタルカメラにより構成されるが、外付けされたデジタルカメラであってもよい。
【００２９】
制御手段２８は、上記各手段の機能を統括的に制御するための手段であり、ＣＰＵ及びその周辺機器を含み、ＣＰＵ等がＲＯＭ等に記録されたアプリケーションプログラムに従って動作することにより制御機能を発揮するように構成される。
＜中古車情報管理サーバ＞
中古車情報管理サーバ１５は、図１に示すように、通信ネットワーク１２を介して多機能型携帯端末１１と中古車両に関する情報を送受信する送受信装置３１と、多機能型携帯端末１１の画面表示部２１に表示される査定情報の入力画面等の各種プログラムが記録、格納されるシステム情報記録装置３２と、多機能型携帯端末１１から送信された中古車両の査定及び画像の情報を記録、格納される車両査定情報記録装置３３と、システム情報記録装置３２及び車両査定情報記録装置３３と多機能型携帯端末１１との間で送受信装置３１により各種情報を処理して送受信をさせるデータ処理装置３５と、上記した各装置の機能を制御する制御装置３６とを備えている。
【００３０】
中古車情報管理サーバ１５には、インターネット上で、データベース等の記憶資源や計算資源などの資源をサービスとして提供ないし利用する形態であるクラウドコンピューティングにおけるパブリッククラウド型のサーバを使用することで、本実施形態の中古車両の査定システムについて、コストを抑えかつ利便性の良いものとすることができる。なお、グループ企業等で広く使用する場合には、プライベートクラウド型のサーバを使用することもでき、さらには独自の社内専用サーバを使用することもできる。
【００３１】
送受信装置３１は、通信ネットワーク１２を介して多機能型携帯端末１１との間で、中古車両の査定及び画像の情報、車両情報等の各種情報の送受信を行うための電子機器、電子回路及びプログラムである。
【００３２】
システム情報記録部３２は、多機能型携帯端末１１の画面表示部２１に表示される査定情報の入力画面等の各種プログラム、及び自動車メーカーにより市場に提供されている各種の車両の情報等が記録される大容量の記録装置、例えばハードディスク、ＤＶＤ等の記録装置が該当する。
【００３３】
車両査定情報記録装置３３は、多機能型携帯端末１１から送信された中古車両の査定及び画像に関する情報が記録される大容量の記録装置、例えばハードディスク、ＤＶＤ等の記録装置が該当する。
【００３４】
データ処理装置３５は、システム情報記録装置３２に記録される査定情報入力画面のプログラム、及び市場に提供されている各種車両に関する情報を送受信装置３１により多機能型携帯端末１１に送信し、また多機能型携帯端末１１から送信された査定情報及び画像の情報を送受信装置３１により受信して車両査定情報記録装置３３に関連付けて記録するための、電子機器、電子回路及びプログラムからなる。
【００３５】
制御装置３６は、上記した中古車情報管理サーバ１５の各装置の機能を統括的に制御するための装置であり、ＣＰＵ及びその周辺機器を含み、ＣＰＵ等がＲＯＭ等に記録されたアプリケーションプログラムに従って動作することにより制御機能を発揮するように構成される。
【００３６】
次に、本実施形態の中古車両の査定システムの動作について、査定システムの構成を示す図１、査定の手順を示すフロー図を示す図２、及び多機能型携帯端末１１の画面表示部２１に表示される各種の表示画面を表示する図３〜図６を参照して説明する。
＜中古車両の査定手順＞
図１〜図３に示すように、本実施形態の中古車両の査定システムは、多機能型携帯端末１１の画面表示部２１に表示される検索情報入力画面に、査定の対象となる中古車両の検索情報を入力し、中古車情報管理サーバ１５に送信することで開始される（図２のＳ１１）。開始の際には予め査定担当者が自身の査定システム用のＩＤ番号、パスワードを入力することで、図３（ａ）に示す検索情報入力画面５１が多機能型携帯端末１１の画面表示部２１に表示される。
【００３７】
検索情報入力画面５１を表示するプログラムは、多機能型携帯端末１１の記録手段２６（例えば、ＲＯＭ等）に記録されているが、本実施形態の中古車両の査定システムの起動毎に中古車情報管理サーバ１５から送信されてもよい（図１参照）。
【００３８】
図３（ａ）に示す検索情報入力画面５１には、査定の対象となる中古車両の形式指定番号、類別区分番号をそれぞれ該当する入力欄５１ａ、５１ｂが表示されている。検索情報入力画面５１上の入力欄５１ａ、５１ｂを指でタッチして選択し、さらに図示されていないキーボードを示す画面上の文字、数字にタッチして該当する形式指定番号、類別区分番号を入力する。形式指定番号、類別区分番号が不明であるときは、不明と記載された部分の欄５１ｃを指でタッチすることで同番号の入力に代えることができる。
また、形式指定番号、類別区分番号の入力欄５１ａ、５１ｂにタッチした後に、説明と記載された部分の欄５１ｄにタッチすることで、形式指定番号、類別区分番号の内容説明が画面表示部２１上に表示される（図示せず）。
【００３９】
査定対象の中古車両の初年度登録の年、同月、モデル年式、メーカー名を該当するプルダウン式で選択できる入力欄５１ｅ、５１ｆ、５１ｇ、５１ｈから選択して入力する。選択操作は上記同様、入力欄５１ｅ、５１ｆ、５１ｇ、５１ｈを指でタッチしてプルダウンし、該当する項目をタッチすることで入力できる。メーカー名の入力後は、車種名をプルダウン式で選択できる入力欄５１ｊから選択し、入力する。
【００４０】
検索情報入力画面の入力欄に検索情報を入力した後は、最下欄の「検索する」と記載された部分の入力欄５１ｋを指でタッチすることで、査定対象となる中古車両の検索情報は、送受信手段２２、通信ネットワーク１２を介して中古車情報管理サーバ１５に送信され、車両査定情報記録装置３３に記録される（図１参照）。
【００４１】
査定対象の中古車両の検索情報が送信された中古車情報管理サーバ１５のデータ処理装置３５は、検索情報に該当する車両の車種情報をシステム情報記録装置３２から検索し、送受信装置３１により通信ネット回線１２を介して多機能型携帯端末１１に送信する。
【００４２】
中古車情報管理サーバ１５から多機能型携帯端末１１に送信された車種情報は、記録手段２６に記録され、さらに画面表示手段２３により画面表示部２１に表示される（図２のＳ１２）。
【００４３】
車種情報は、図３（ｂ）に表示されるように、多機能型携帯端末１１の画面表示部２１に車種情報画面５３として表示される。該当する車種情報が複数の種類があるときは、それぞれＮｏ．１の表示欄５３ａ、Ｎｏ．２の表示欄３ｂ、・・として連番で表示される。
【００４４】
車種情報画面５３に表示される車種情報には、車種名、形式番号、類別区分番号、ドアの数、ＣＰ（クーペ）等の形状の種類、乗車定員数、４ＷＤ又は２ＷＤ等の駆動方式、エンジンの排気量数、ターボ式の有無、ガソリン又は軽油等の燃料の種類、オプション（△記号で示す）であるサンルーフ、本皮シート、及びナビゲーション等の有無、さらに車両の販売年月等が表示される。
【００４５】
査定者は、該当する車種情報を、Ｎｏ．１の表示欄５３ａ、Ｎｏ．２の表示欄５３ｂ、・・として連番で表示されたものにタッチして選択し、さらに確認欄５４にタッチして特定する。
【００４６】
上記の選択、確認により特定した確認情報は、送受信手段２２により通信ネットワーク１２を介して中古車情報管理サーバ１５に送信される。上記の確認情報を受信した中古車情報管理サーバ１５のデータ処理装置３５は、システム情報記録装置３２に記録されている対象車両情報入力画面を表示するプログラムから該当するものを選択し、送受信装置３１、及び通信ネットワーク１２を介して多機能型携帯端末１１に送信する。
【００４７】
対象車両情報入力画面を表示するプログラムを受信した多機能型携帯端末１１の画面表示手段２３は、画面表示部２１に、図４に示す対象車両情報入力画面５６を表示し、査定者による入力を要求する（図２のＳ１３）。
【００４８】
図４に示すように、対象車両情報入力画面５６には、車種の名称入力欄５６ａ、グレードの入力欄５６ｂ、査定は来店によるもの又は出張によるものであるかを特定するための入力欄５６ｃ、査定担当者の名称とコード番号５６ｄ、本査定の査定番号を入力する欄５６ｅが入力画面の上段部分に表示される。
【００４９】
対象車両情報入力画面５６への入力は、該当する入力欄を指でタッチして選択し、さらに図示されていないキーボード画面上の文字、数字にタッチして該当する形式指定番号、類別区分番号を入力することにより行う。
【００５０】
対象車両情報入力画面５６の左側の面には、さらに入力欄として、車体番号の入力欄５６ｆ、改造車又はＯＥＭ車である場合の車体番号解除のためのチェックを入れる入力欄５６ｇ、年式（年月）、形状をプルダウン式で選択入力する入力欄５６ｈ、５６ｉ、型式の入力欄５６ｊ、エンジンの排気量（ＲＥの場合はさらにその表示）の入力欄５６ｋ、モデルが前期、後期であるか又は該当「なし」であるのいずれかを選択する入力欄５６Ｌ、ターボの有無を選択する入力欄５６ｍ、燃料の種類（ガソリン、軽油、その他）を選択する入力欄５６ｎ等が表示され、該当する入力欄を指でタッチして選択し、さらに図示されていないキーボード画面上の文字、数字にタッチして該当する番号、記号を入力する。
【００５１】
対象車両情報入力画面５６の左面には、さらに入力欄として、登録番号をプルダウン式で選択入力する入力欄５６ｐ、モデル年をプルダウン式で選択入力する入力欄５６ｒ、モデル年の対象外に該当する旨の表示をする入力欄５６ｓ、ドア数をプルダウン式で選択入力する入力欄５６ｔ、形式指定の入力欄５６ｕ、類別区分の入力欄５６ｖ、シリアルＮｏの入力欄５６ｗ、駆動方式が２ＷＤ又は４ＷＤのいずれであるかを選択する入力欄５６ｘ、車検の期限となる年月日をプルダウン式で選択入力する入力欄５６ｙが表示され、プルダウン式以外の入力欄のうち、該当する入力欄を指でタッチして選択し、さらに図示されていないキーボード画面上の文字、数字にタッチして該当する番号、記号を入力する。
【００５２】
図４の対象車両情報入力画面５６への入力が完了した後は、入力情報を送受信手段２２により通信ネットワーク１２を介して中古車情報管理サーバ１５に送信する。中古車情報管理サーバ１５は、送られてきた上記の対象車両情報を車両査定情報記録装置３３に記録する。データ処理装置３５は、システム情報記録装置３２に記録されている、中古車両の車両画像の入力要求表示画面のプログラムのうち、対象の中古車両に該当する車両画像の入力要求表示画面のプログラムを選択して多機能型携帯端末１１に送信する。
【００５３】
送信された車両画像の入力要求表示画面のプログラムは、記録手段２６に記録され、画面表示手段２３が記録されたプログラムに基づいて画像表示部２１に車両画像の入力要求表示画面を表示して画像の入力を要求する（図２のＳ１４）。
【００５４】
車両画像の入力要求表示画面は、図５（ａ）に示すように入力要求される車両の画像がそれぞれ一覧として表示される。図５（ｂ）は図５（ａ）の入力要求に基づいて実際に入力された画像が一覧として表示される。
【００５５】
図５（ｂ）では、既に第１欄から第５欄までの画像が入力された状態を示しており、現在第６欄の画像を入力するところである。この入力手順を説明する。
【００５６】
図５（ａ）の入力要求車両画像一覧の第６欄に示す画像（車両の右側面画像）を図５（ｂ）の第６欄に入力する場合、図５（ａ）第６欄（車両の右側面画像）のエリアを指でタッチすると、入力車両画像一覧を表示する図５（ｂ）の第６欄に、画像入力表示６２が重ねて表示される。このとき撮影対象部位を明確にするために矢印６３が併せて表示される。
【００５７】
なお、図５（ａ）の入力要求画像一覧と図５（ｂ）の入力車両画像一覧とを画面上の左右にそれぞれ表示してもよく、または図５（ａ）の入力要求画像一覧と図５（ｂ）の入力車両画像一覧とを操作により交互に画面上に表示してもよく、あるいは図５（ａ）の入力車両画像一覧の中に入力画像を取り込んで、図５（ａ）に表示された要求画像を入力画像に置き代えていくことで図５（ｂ）の入力車両画像一覧に順次移行する表示にすることもできる。
【００５８】
画像入力表示６２には、入力する画像を選択する選択表示欄６５が示される。選択表示欄６５には、デジタルカメラで新規に撮影して入力することを示す「カメラから撮る」の表示６５ａ、このシステムで既に撮影済みで記録手段２６に記録されている画像を取り込んで入力することを示す「ローカルから選択」の入力表示欄６５ｂ、例えば、多機能型携帯端末であるｉＰａｄ（登録商標）のカメラアプリケーション内に保存されている画像を取り込んで入力することを示す「カメラロールから選択」の入力表示欄６５ｃ、画像の差し替え等の必要から登録した画像を削除することを示す「画像をクリアする」の入力表示欄６５ｄが含まれる。
【００５９】
このように、画像入力表示６２が入力画像の入力欄を示す矢印６３と共に表示されるので、画像の入力が確実、かつ正確に行うことができる。また、選択表示欄６５が併せて表示されるので、選択表示欄に含まれる何れかの入力表示欄を選択して画像入力ができるので、すべての画像を新規撮影する手間が省け、画像入力の手間が軽減される。
【００６０】
図５（ｂ）に示す入力車両画像の一覧への画像入力が終了した後は、入力画像は多機能型携帯端末１１の記録手段２６に記録され、さらに中古車情報管理サーバ１５へ送信されて車両査定情報記録装置３３に記録される（図１参照）。
【００６１】
入力車両画像の一覧の上記手順が終了した後、中古車情報管理サーバ１５のデータ処理装置３５は、システム情報記録装置３２に記録されている中古車両の査定情報入力欄の表示プログラムから該当する中古車両の上記プログラムを選択して、多機能型携帯端末１１に送信する。
【００６２】
送信された中古車両の査定情報入力欄の表示プログラムは、多機能型携帯端末１１の記録手段２６に記録されるとともに、画面表示手段２３により画面表示部２１に、画像の入力欄を含めた査定情報入力欄として表示される（図２のＳ１５、図６参照）。
【００６３】
査定情報の入力欄の画面は、図６（ａ）に示す車両展開図７１と、図６（ｂ）の査定情報入力欄画面７３とから成る。図６（ａ）の車両展開図７１に含まれる図の何れかに指でタッチすることで、当該タッチした図を表す車両部位の査定情報とその部位の画像を入力するための入力欄である、査定情報入力欄画面７３が表示される。
【００６４】
図６（ａ）に示すように、対象となる中古車両の外装の展開図と予備タイヤを示す図が車両展開図７１として表示されている。中古車両の内装の査定を行う場合は、車両展開図７１の上部に位置する内装の入力欄７１ｂをタッチすることで、車両の内装の展開図（図示せず）に切り替わるようになっている。内装の展開図（図示せず）から外装の車両展開図７１に戻すときは、内装の入力欄７１ｂの横に位置する外装の入力欄７１ａに指でタッチすることで切り替わる。
【００６５】
図６（ｂ）には、図（６）の車両展開図である、平面図、正面図、背面図、右側面図、左側面図、又は予備タイヤの図のうち、平面図へのタッチにより、当該平面図に示す車両の部位の査定情報を入力するための査定情報入力欄画面７３が表示されている。
【００６６】
査定情報入力欄画面７３には、車両の平面図に現われるパーツの、「フロントウィンドウ」を指定する入力欄７３ａ、「ルーフ」を指定する入力欄７３ｂ、「リアウィンドウ」を指定する入力欄７３ｃ、「トランク」を指定する入力欄７３ｄが上から下に順に配置されている。
【００６７】
上記パーツを示す入力欄７３ａ〜７３ｄの右横には、各パーツの状態についての査定情報を入力する入力欄が上から下に順に配置されており、上から、外装表面の凹みがある場合を示す「エクボ（半円の記号）」の入力欄７３ｅ、外装の塗装に剥がれ、傷当の損傷がある場合を示す「塗装損傷（ＴＳの記号）」の入力欄７３ｆ、外装に補修された跡がある場合を示す「補修跡（ＢＸの記号）」の入力欄７３ｇ、部品の一部が交換された場合を示す「交換跡（Ｘの記号）」の入力欄７３ｈとなっている。上記状態の入力欄７３ｅ〜７３ｈの右横には、上記状態の程度を表す査定情報を入力する入力欄が上下に配置されており、上から順に、程度が大である「大」の入力欄７３ｊ、程度が中である「中」の入力欄７３ｋ、程度が小である「小」の入力欄７３ｍ、程度が微小である「微小」の入力欄７３ｎとなっている。
【００６８】
上記したパーツ、状態、程度の入力欄に続き、さらに画面の右側には、そのパーツを含む車両の該当部位の画像を入力する画像入力欄７３ｐと、査定情報を文字で表す文字入力のメモ入力欄７３ｔが上下に配置されている。
【００６９】
図６（ａ）に示す車両展開図７１の平面図をタッチしたときには、車両の平面図に現われる各パーツが図６（ｂ）の査定情報入力欄画面７３に示され、入力要求される各パーツが矢印７５により順次に示され、それぞれ状態、程度の入力を行うと、各パーツの入力毎にそのパーツを含む部位の画像の入力を要求する画像入力表示７６が、画像入力欄７３ｐを示す矢印７８により示される。
【００７０】
画像入力表示７６には、入力する画像を選択する選択表示欄７７が示される。選択表示欄７７には、デジタルカメラで新規に撮影して入力することを示す「カメラから撮る」の入力表示欄７７ａ、このシステムで既に撮影済みで記録手段２６に記録されている画像を取り込んで入力することを示す「ローカルから選択」の入力表示欄７７ｂ、例えば、多機能型携帯端末であるｉＰａｄ（登録商標）のカメラアプリケーション内に保存されている画像を取り込んで入力することを示す「カメラロールから選択」の入力表示欄７７ｃ、画像の差し替え等の必要から登録した画像を削除することを示す「画像をクリアする」の入力表示欄７７ｄが含まれる。
【００７１】
このように、画像入力表示７６が入力画像の入力欄を示す矢印７８と共に表示されるので、画像の入力が確実、かつ正確に行うことができる。また、選択表示欄７７が併せて表示されるので、選択表示欄７７に含まれる何れかの入力表示欄を選択して画像入力ができるので、すべての画像を新規撮影する手間が省け、画像入力の手間が軽減される。
【００７２】
図６（ａ）に示す展開図の平面図を選択して、車両の平面図に含まれる各パーツの状態、程度、及びそのパーツの画像を入力し、メモ入力を行ったあとは（図２のＳ１６）、展開図の他の図面をタッチして選択し、上記同様に選択した車両図面に含まれる各パーツの、状態、程度の査定情報を入力し、そのパーツを含む部位の画像と、メモ情報をそれぞれ入力する工程を繰り返す（図２のＳ１７）。入力された査定情報（メモ情報を含む）、画像の情報は記録手段２６に記録される。
【００７３】
図６（ａ）の展開図に含まれる各図面の全ての選択と、その各図面に含まれる各パーツの状態、程度の査定情報、各パーツを含む部位の画像入力及びメモ入力の各情報の入力が完了したときは、これらの情報は中古車情報管理サーバ１５に送信され、車両査定情報記録装置３３に記録される（図２のＳ１８）。
【００７４】
このように、中古車両の査定情報を入力する際に、各パーツの状態、程度の査定情報とともに、当該パーツの画像の入力要求を併せて表示することで、画像の入力を確実に行うことができる。また、画像入力が必要な部分を矢印７５で表示することで画像入力が正確になり、また画像入力表示７６に選択表示欄７７が併せて表示されるので、全ての部位の画像を新規に撮影して入力する手間が軽減されるので、画像入力の手間が軽減される。
【００７５】
また、各パーツの査定情報とそのパーツを含む部位の画像とは関連付けされて、中古車情報管理サーバ１５の車両査定情報記録装置３３に記録されるので、中古車の査定情報とその画像とを通信ネットワーク１２により、各地に配置される多機能型携帯端末で広く利用することができる。
【符号の説明】
【００７６】
１１    多機能型携帯端末
１２    通信ネットワーク
１５    中古車情報管理サーバ
２１    画面表示部
２２    送受信手段
２３    画面表示手段
２５    入力手段
２６    記録手段
２７    撮像手段
２８    制御手段
３１    送受信装置
３２    システム情報記録装置
３３    車両査定情報記録装置
３５    データ処理装置
３６    制御装置
７１    車両展開図
７３    査定情報入力欄画面
７６    画像入力表示
７７    選択表示欄
【図１】
0005892532.tif 000002
【図２】
0005892532.tif 000003
【図３】
0005892532.tif 000004
【図４】
0005892532.tif 000005
【図５】
0005892532.tif 000006
【図６】
0005892532.tif 000007